(57)【要約】【課題】本発明の課題は、ワイヤーを用いるだけの簡単な構成で、しかも、既存の耕深ハンドルを回動操作するだけで、リヤカバーの持ち上げが容易で、しかも、軽く持ち上げ操作することができ、また、ワイヤー不使用時には、ワイヤーの収納保持が簡易に行えるリヤカバー持ち上げ装置を具現する。【解決手段】本発明は、耕深ハンドルの回動操作で昇降スクリュを介して昇降する昇降可能なスライドヒッチと耕耘カバーの後端部に上下回動自在に設けられたリヤカバーをワイヤーでもって係脱可能に連動連結し、前記耕深ハンドルによるスライドヒッチの上昇操作でリヤカバーを強制的に持ち上げるべく連動構成してあるロータリ耕耘作業機において、耕耘作業時には、前記ワイヤーのリヤカバー側端部を取り外してスライドヒッチ側に収納すべく係止保持するワイヤ係止突起を突設してあることを特徴とするロータリ耕耘作業機の構成とする。【選択図】図７
2015104322.tif 000002
【特許請求の範囲】
【請求項１】
耕深ハンドル（２９）の回動操作で昇降スクリュ（２７）を介して昇降する昇降可能なスライドヒッチ（２６）と耕耘カバー（１６）の後端部に上下回動自在に設けられたリヤカバー（１８）をワイヤー（３０）でもって係脱可能に連動連結し、前記耕深ハンドル（２９）によるスライドヒッチ（２６）の上昇操作でリヤカバー（１８）を強制的に持ち上げるべく連動構成してあるロータリ耕耘作業機において、耕耘作業時には、前記ワイヤー（３０）のリヤカバー（１８）側端部を取り外してスライドヒッチ（２６）側に収納すべく係止保持するワイヤ係止突起（３４）を突設してあることを特徴とするロータリ耕耘作業機。
【請求項２】
前記ワイヤー（３０）のスライドヒッチ側取付端部は、スライドヒッチ（２６）に取り付けられた尾輪（３５）を装着する尾輪ブラケット（３６）を利用して連結保持させてあることを特徴とする請求項１記載のロータリ耕耘作業機。
【請求項３】
前記耕深ハンドル（２９）には、リヤカバー（１８）の上げ、下げマークを付してあることを特徴とする請求項１又は請求項２記載のロータリ耕耘作業機。
【発明の詳細な説明】
【技術分野】
【０００１】
この発明は、農業用トラクタに装備されるロータリ耕耘装置に関するものである。
【背景技術】
【０００２】
従来、トラクタに装備されたロータリ耕耘装置のリヤカバー持ち上げに際しては、耕耘カバー側に固着したＵ型ブラケットに軸架した支持軸の一側に持ち上げアームを固着し、その持ち上げアームの他側には持ち上げレバーを取り付け、持ち上げアームと持ち上げレバーとの間に持ち上げアームを上向きに回動付勢するスプリングを設けてなる構成の持ち上げ付勢手段を介して持ち上げレバーの操作でリヤカバーを持ち上げ支持するようにしている（例えば、特許文献１参照）。
【先行技術文献】
【特許文献】
【０００３】
【特許文献１】特開２００７−６７７６号公報
【発明の概要】
【発明が解決しようとする課題】
【０００４】
上記構成のリヤカバーの持ち上げ付勢手段は、構成が複雑であるばかりでなく、特にレバー操作による場合は、泥が付着して重くなったリヤカバーを持ち上げるには容易ではなく、多大の労力が必要となる。
【０００５】
本発明の課題は、ワイヤーを用いるだけの簡単な構成で、しかも、既存の耕深ハンドルを回動操作するだけで、リヤカバーの持ち上げが容易で、しかも、軽く持ち上げ操作することができ、また、ワイヤー不使用時には、ワイヤーの収納保持が簡易に行えるリヤカバー持ち上げ装置を具現する。
【課題を解決するための手段】
【０００６】
この発明は、上記課題を解決すべく次のような技術的手段を講じた。
すなわち、請求項１記載の本発明は、耕深ハンドル（２９）の回動操作で昇降スクリュ（２７）を介して昇降する昇降可能なスライドヒッチ（２６）と耕耘カバー（１６）の後端部に上下回動自在に設けられたリヤカバー（１８）をワイヤー（３０）でもって係脱可能に連動連結し、前記耕深ハンドル（２９）によるスライドヒッチ（２６）の上昇操作でリヤカバー（１８）を強制的に持ち上げるべく連動構成してあるロータリ耕耘作業機において、耕耘作業時には、前記ワイヤー（３０）のリヤカバー（１８）側端部を取り外してスライドヒッチ（２６）側に収納すべく係止保持するワイヤ係止突起（３４）を突設してあることを特徴とするロータリ耕耘作業機とする。
【０００７】
リヤカバー持ち上げ時には、耕深ハンドル（２９）にてスライドヒッチ（２６）を上げ側に回動操作すると、リヤカバー（１８）はワイヤー（３０）を介して上方に大きく持ち上げられ、リヤカバーの裏側に付着した泥土の除去が容易に行える。
【０００８】
通常の耕耘作業時では、リヤカバー持ち上げ時のワイヤー（３０）は不要になるため、このワイヤーの収納時はリヤカバー（１８）側の取付部より取り外し、スライドヒッチ（２６）側に設けられた係止突起（３４）に係止して収納保持する。
【０００９】
請求項２記載の本発明は、請求項１において、前記ワイヤー（３０）のスライドヒッチ側取付端部は、スライドヒッチ（２６）に取り付けられた尾輪（３５）を装着する尾輪ブラケット（３６）を利用して連結保持させてあることを特徴とするロータリ耕耘作業機とする。
【００１０】
ワイヤー（３０）のスライドヒッチ側取付端部は、既存の尾輪ブラケット（３６）を利用して取り付けするので、別の取付手段を設ける必要がなく、安価に実施することができる。
【００１１】
請求項３記載の本発明は、請求項１又は請求項２において、前記耕深ハンドル（２９）には、リヤカバー（１８）の上げ、下げマークを付してあることを特徴とするロータリ耕耘作業機とする。
【００１２】
耕深ハンドル（２９）を上げマークのある方向に回すと、ワイヤー（３０）が上方に引っ張られリヤカバー（１８）は上方に大きく持ち上げられる。
耕深ハンドルを下げマークの方向に回すと、リヤカバーは下降して元の位置に復帰する。
【発明の効果】
【００１３】
以上要するに、請求項１記載の本発明によれば、ワイヤーを用いるだけの簡単な構成でリヤカバーの持ち上げが容易にでき、しかも、既存の耕深ハンドルを回すだけの操作で、昇降スクリュを介して軽く持ち上げることができる。
【００１４】
また、通常の耕耘作業時には、ワイヤーをリヤカバー側から取り外してスライドヒッチ側に設けた係止突起にひっかけるだけで収納保持することができ、係止突起は、ピン等による簡単な構成で良く安価に実施することができる。
【００１５】
請求項２記載の本発明によれば、請求項１記載の効果に加えてワイヤーのスライドヒッチ側取付端部は、既存の尾輪ブラケットを利用して連結保持することができるので、別の連結手段を設ける必要がなく、安価に実施することができる。
【００１６】
請求項３記載の本発明によれば、請求項１又は請求項２記載の効果に加えて、リヤカバー持ち上げに際しては、耕深ハンドルを上げマークの方向に回すだけで良く、間違いなく確実に持ち上げ操作することができる。
【図面の簡単な説明】
【００１７】
【図１】ロータリ耕耘作業機を備えたトラクタの側面図
【図２】ロータリ耕耘作業機の要部の側面図
【図３】同上要部の側面図
【図４】Ａ，Ｂ，Ｃはリヤカバーロックユニットのレバー作動状態を示す背面図
【図５】スライドヒッチ及びワイヤーを示す斜視図
【図６】同上要部の背面図
【図７】同上要部のワイヤ収納状態を示す斜視図
【図８】スライドヒッチ及び尾輪ブラケットを示す斜視図
【図９】耕深ハンドルを示す背面図
【図１０】レベラを備えたリヤカバーの側面図
【図１１】同上要部の斜視図
【図１２】ロプスフレームの背面図
【図１３】同上一部の背面図
【図１４】同上要部の側面図
【図１５】同上要部の平面図
【図１６】クローラ付トラクタの側面図
【図１７】同上平面図
【図１８】トラクタ要部の側面図
【図１９】同上要部の背面図
【図２０】トラクタ要部の側面図
【図２１】同上要部の背面図
【発明を実施するための形態】
【００１８】
この発明の実施例を図面に基づき説明する。
図１は、ロータリ耕耘作業機を備えたトラクタを示し、車体１前部のボンネット２内部にエンジンＥを搭載し、このエンジンＥの回転動力をミッションケ−ス３内の変速装置に伝え、この変速装置で減速された回転動力を前輪４及び後輪５とに伝えるようにしている。エンジンＥの後方に前輪４，４を操舵するステアリングハンドル６が装備され、更に、その後方には運転席７が設置されている。
【００１９】
ミッションケ−ス３の後方上部には油圧シリンダケース８が搭載され、このシリンダケース８の左右両側部には、油圧昇降機構の一部を構成するリフトアーム９，９が回動自在に枢支されている。シリンダケース８内に収容されている作業機昇降用油圧シリンダに作動油を供給するとリフトアーム９，９が上方に回動し、排出するとリフトアーム９，９は下降するようになっている。
【００２０】
車体後部にはトップリンク１１と左右のロワリンク１２からなる３点リンク機
構を設け、同リンク機構にロ−タリ耕耘作業機１３を連結している。このロ−タリ耕耘作業機１３は、コントロールレバー１５を操作すると前記リフトア−ム９の上下動によりリフトロッド１４を介して昇降するようになっている。
【００２１】
ロータリ作業機１３において、耕耘カバー１６の後端部には、左右横方向の支軸１７を支点としてリヤカバー１８が上下回動自在に枢着支持されている。
耕耘フレームから後方に延出する支持ステー１９とリヤカバー１８側から突設したカバー側取付ステー２０との間には、張圧ばね２１を介して伸縮可能な支持ロッド（プレッシャロッド）２２が枢着連結され、リヤカバー１８が張圧ばね２１によって常時下方側に向けて張圧保持されるようになっている。
【００２２】
また、図４に示すように、リヤカバー１８をロックするリヤカバーロックユニット２３のレバー２４には赤印Ｒ１と青印Ｂ１が設けられ、赤印Ｒ１と青印Ｂ１の時、ロック解除状態図４Ａ参照、青印Ｂ１の時、下げロック状態（図４Ｂ）、赤印の時、上げロック状態（図４Ｃ）とすることで、レバーの向きの状態によって色で識別し、高齢者でもレバーのロック、非ロック常態が判り易くなっている。
【００２３】
マスト２５の後側端部と昇降可能なスライドヒッチ２６には、ねじ機構を用いた昇降スクリュ２７がそれぞれ回動自在に連結され、耕深ハンドル２９の回動操作によりスライドヒッチ２６が上下に昇降するようになっている。
【００２４】
次に、リヤカバー１８の持ち上げ手段（はね上げ手段）について説明すると、両端にループ状のフック部３０ａ，３０ｂを備えたワイヤー３０の一端側は、端部のフック部３０ａをスライドヒッチ２６側に設けた取付片３１に係止ピン３２によって挿通係止するようにし、該ワイヤー３０の他端側は、その端部のフック部３０ｂを前記カバー側取付ステー２０の側方に長く延設したピン軸３３に挿通係止してヘヤピンにより抜け止めする。そして、耕深ハンドル２９を浅い側の左回りに回動操作すると、スライドヒッチ２６が上げ側に上昇し、リヤカバー１８は図２の状態から図３のように上方へ大きくはね上がるようになっている。
【００２５】
図８に示す実施例では、スライドヒッチ２６側のワイヤー取付手段を示すものであるが、ワイヤー３０のフック部３０ａの取り付けに際しては、スライドヒッチ２６側に取り付けられた尾輪３５を装着する尾輪ブラケット３６を利用して取り付けるようにしてあり、要するに、尾輪挿通パイプ３７に設けられたピン孔３７ａとピン３８及びヘアピン３９を介して係止保持する構成としている。
【００２６】
また、ワイヤーの収納保持手段においては、図５及び図６に示すように、係止突起３４としてピン状の突起を突設し、ワイヤー収納時は、リヤカバー１８側から取り外したワイヤー３０のフック部３０ｂを図７に示すようにスライドヒッチ２６の周りに巻き掛けた状態で係止保持するようになっている。
【００２７】
図９例は、耕深ハンドル２９を示すものであるが、先端側のノブ部２９ａには、左回り「浅い」、右回り「深い」のマークが付されてあり、基部側のボス部２９ｂには、左回り「上げ」、右回り「下げ」のマークが付され、「浅い」と「上げ」はスクリュ軸２８を同方向に回す左回りであり、「深い」と「下げ」はスクリュ軸２８を同方向に回す右回りであるため、操作の間違いが生じない。
【００２８】
図１０及び図１１に示す実施例では、リヤカバー１８の内側に櫛歯状のレベラ４１を設けることによって草やワラの埋没を促進することができる。従来では、草やワラが多いと，土中に埋没しにくくきれいに仕上がらないことがあるが、本例ではかかる問題点を解消できる。
【００２９】
図１２〜図１５例は、可倒式ロプスフレーム安全フレームの実施例を示すもので、リヤフレーム４２の上部に設置したロプスフレーム４３が枢支ピン４４の着脱により可倒できるように構成したものにおいて、枢支ピン４４のガタ防止策としてフレーム後方より調整式のノブボルト４５を設け、その前方にはロプスフレームのロプスブラケット４６下面にあわせたＵ字状ガタ止めプレート４７を設け、そのＵプレート４７の抜けを防止するＵ型プレート付ナット４８をノブボルト４５側に設けることで、ノブボルトを回して押し込めば、枢支ピンのガタを防止することができる。
【００３０】
従来の可倒式ロプスにおいては、簡単に回動する必要があるため、回動部のガタ防止に対して、クッションゴムのようなストッパ等で行っていたが対応が不十分であった。そのため、ロプスにサンバイザを装着した場合には固定部のピンのガタによりストッパ部が変形しガタが発生する不具合が生じていた。上記の如き本例によれば、簡単な構成のガタ防止機構を設置することで、確実にガタ防止が行える。更に、ロプスフレームを倒した場合にもＵプレートはＵ型プレート付ナットとボルトで保持され、Ｕプレートの脱落防止ができる。
【００３１】
図１６及び図１７に示すように、トラクタの走行クローラ（セミクローラ）４９の前側には、弾性ゴム板や可撓性シート等からなる泥飛散防止体５０を垂下させて設けることにより、クローラからの飛散泥がボンネットに降りかからないように飛散を防止する構成としている。なお、泥飛散防止体は上下に昇降可能に構成しておくとよい。
【００３２】
図１８及び図１９例によると、トラクタ後部の左右フェンダ５１Ｌ，５１Ｒを一体的に連結保持すべく１本のフレームパイプ５２で構成し、このフレームパイプ５２の左右両端部を上方に折り曲げ形成して上端に方向指示器５３，５３を装着支持することができ、また、途中部にはコンビランプ５４やナンバープレート５５等も装着支持することができ、方向指示器などの配線はフレームがパイプであるため、内部に配線を通して隠すことができる。要するに、上記構成によれば、簡単な構成でありながら部品点数も少なくて済み安価に実施できる。
【００３３】
図２０及び図２１に示す実施例によれば、トラクタの燃料給油口５９に給油のためのポリタンクを載せる載せ台５６を設けた構成のものにおいて、載せ台の支持部を支持して上下方向にスライド調節可能とする長孔５８を有したレール部材５７を設け、ポリタンクの燃料が減少すると、載せ台を上方に持ち上げ調節して固定することで、減った燃料を高い位置から補給することができる。
【００３４】
なお、レール部材には、載せ台の持上げ力をアシストするダンパやスプリングを配しておくと、載せ台を軽い力でスライドさせることが可能となる。
載せ台５６は、軸芯Ｑを回動支点として張出し水平姿勢と起立収納姿勢とに切替可能に構成している。
【符号の説明】
【００３５】
１３    ロータリ耕耘作業機
１６    耕耘カバー
１８    リヤカバー
２６    スライドヒッチ
２７    昇降スクリュ
２９    耕深ハンドル
３０    ワイヤー
３４    係止突起（ピン）
３５    尾輪
３６    尾輪ブラケット
【図１】
2015104322.tif 000003
【図２】
2015104322.tif 000004
【図３】
2015104322.tif 000005
【図４】
2015104322.tif 000006
【図５】
2015104322.tif 000007
【図６】
2015104322.tif 000008
【図７】
2015104322.tif 000009
【図８】
2015104322.tif 000010
【図９】
2015104322.tif 000011
【図１０】
2015104322.tif 000012
【図１１】
2015104322.tif 000013
【図１２】
2015104322.tif 000014
【図１３】
2015104322.tif 000015
【図１４】
2015104322.tif 000016
【図１５】
2015104322.tif 000017
【図１６】
2015104322.tif 000018
【図１７】
2015104322.tif 000019
【図１８】
2015104322.tif 000020
【図１９】
2015104322.tif 000021
【図２０】
2015104322.tif 000022
【図２１】
2015104322.tif 000023